(57)【特許請求の範囲】
【請求項１】
内容物を収容する容器体（１）と、
該容器体（１）の上端開口部を形成する口筒部（７）に、本体部（９）を組付けて密閉する中蓋（８）と、
前記口筒部（７）部分を覆って組付く外蓋（１９）を有し、
前記中蓋（８）は、前記本体部（９）と、前記本体部（９）の下面より下方に突出する載置部と、を有し、
前記載置部は、前記本体部（９）の外周端から垂下した脚片部（１４）を有する
ことを特徴とする中蓋付き容器。
【請求項２】
請求項１に記載の中蓋付き容器において、外蓋（１９）が外装組付きする容器体（１）の首筒部（４）に容器体ネジ（５）を設け、該容器体ネジ（５）を断続ネジ構造とすることにより、前記首筒部（４）外周面に複数のネジ欠部（６）を形成し、該ネジ欠部（６）に係合する脚片部（１４）の外面に、前記容器体ネジ（５）と連続する形態で大ネジ（１５）を設けたことを特徴とする中蓋付き容器。
【請求項３】
請求項２に記載の中蓋付き容器において、大ネジ（１５）の直下に子ネジ（１６）を設け、該大ネジ（１５）と子ネジ（１６）の間に、螺合した容器体ネジ（５）を挟み込むことを特徴とする中蓋付き容器。
【請求項４】
請求項１から３のいずれか１項に記載の中蓋付き容器において、前記載置部としての脚片部（１４）の下端間を、仮想される包絡線に沿って一体に結合される連結リング（１７）としたことを特徴とする中蓋付き容器。
【請求項５】
請求項４に記載の中蓋付き容器において、前記中蓋（８）の連結リング（１７）の周端部と、該連結リング（１７）の周端部に上方から対向する外蓋（１９）の筒壁（２１）の下端面の何れか一方に、位置合せ欠部（１８）を設けると共に、他方に該位置合せ欠部（１８）に係合する位置合せ凸部（２３）を設けたことを特徴とする中蓋付き容器。
【請求項６】
請求項１から５のいずれか１項に記載の中蓋付き容器において、前記中蓋（８）の本体部（９）上面と、外蓋（１９）の頂壁（２０）下面との間に、弾性変形部材を設けることを特徴とする中蓋付き容器。
【請求項７】
請求項１に記載の中蓋付き容器において、前記外蓋（１９）が外装組付きする前記容器体（１）の首筒部（４）に容器体ネジ（５）を設け、前記容器体（１）に前記中蓋（８）が組付けられることにより、前記本体部（９）の外装部（１２）と、前記容器体ネジ（５）のネジ基部（４ａ）の頂壁部（４ｂ）との間に、隙間（Ｓ）が形成されることを特徴とする中蓋付き容器。
【請求項８】
請求項７に記載の中蓋付き容器において、前記脚片部（１４）の仮置面（１４ａ）が、前記脚片部（１４）の下端面（１４ｂ）より上方に形成されることを特徴とする中蓋付き容器。
【請求項９】
請求項７又は８に記載の中蓋付き容器において、前記頂壁部（４ｂ）と前記口筒部（７）との間に掛かり代（Ｈ１）の立ち上り部分を有することを特徴とする中蓋付き容器。
【発明の詳細な説明】
【技術分野】
【０００１】
本発明は、上端開口部に、容器体の密閉を達成維持する中蓋を組付けた中蓋付き容器に関する。
【背景技術】
【０００２】
内容物を密閉保持する容器の蓋機能部分としては、特開２０１２−２４６０１３号公報に示されているように、容器体を直接密閉する中栓状の中蓋と外蓋との組合わせ物で構成されているのが一般である。
【先行技術文献】
【特許文献】
【０００３】
【特許文献１】特開２０１２−２４６０１３号公報
【発明の概要】
【発明が解決しようとする課題】
【０００４】
この従来技術にあっては、中蓋により容器体の密閉状態は安定して維持されるのであるが、中蓋は、内容物を収容する空間を形成する部分の一部を構成するので、その内面側は内容物に晒されることになると共に、内面に内容物が付着する場合が多い。このため、容器体から取外した中蓋を取扱う際には、その取扱いに十分に留意する必要があった。すなわち、取外した中蓋の内面にゴミや汚れが付着しないようにすること、中蓋の内面に付着した内容物が載置面に付着して汚さないようにする必要があった。例えば、上記した従来技術に示された中栓（中蓋）を、取外して取扱う際には、中蓋を裏返しにした姿勢で載置面に置く必要があるが、この場合、指先で摘む箇所を得るのが難しく、取扱いが困難となる場合が多く、また浮遊しているゴミやホコリが中蓋の内面に付着し易い、と云う問題がある。更には、中蓋が容器体に密閉状態で密に係合している場合には、中蓋が取り外し難いことが多かった。
【０００５】
本発明は、上記した従来技術における問題点を解消すべく、創案されたもので、中蓋の取扱いを容易とすることを技術的課題とし、もって中蓋の容易で安全な取扱いを得ることを目的としたものである。また、本発明は、中蓋の衛生的な取扱いでき、中蓋の取り外しが容易に行えることを目的としている。
【課題を解決するための手段】
【０００６】
上記課題を解決するための手段の主たる構成は、
内容物を収容する容器体（１）と、該容器体（１）の上端開口部を形成する口筒部（７）に、本体部（９）を組付けて密閉する中蓋（８）と、前記口筒部（７）部分を覆って組付く外蓋（１９）を有し、前記中蓋（８）は、前記本体部（９）と、前記本体部（９）の下面より下方に突出する載置部と、を有し、前記載置部は、前記本体部（９）の外周端から垂下した脚片部（１４）を有し、前記載置部は、前記中蓋（８）が載置される載置面上に前記脚片部（１４）が接触すると前記本体部（９）を前記載置面より上方へ保持すること、にある。
【０００７】
中蓋の本体部に垂下状に設けられた載置部は、中蓋を容器体の口筒部から離脱させた状態で、中蓋の脚部として機能することができ、それゆえ載置面上に載置部を「脚」として機能させた状態で載置することにより、付着した内容物により載置面を汚すことなく、また載置面の汚れを中蓋の本体部に付着させることもなく、目的箇所に載置することができる。また、中蓋を裏返しにした姿勢で載置面に置く必要がないため、載置された中蓋を取り上げる際には、載置部を指掛部分として利用することができ、更に浮遊しているゴミやホコリの付着を抑制できる。また、載置部を脚片部としたものにおいて、載置部としての脚片部に内容物が付着することがないので、付着した内容物による汚れの発生を無くすことができる。
【０００８】
【０００９】
【００１０】
また、本発明の別の構成は、上記した主たる構成において、外蓋が外装組付きする容器体の首筒部に容器体ネジを設け、この容器体ネジを断続ネジ構造とすることにより、首筒部外周面に複数のネジ欠部を形成し、このネジ欠部に係合する脚片部の外面に、容器体ネジと連続する形態で大ネジを設けたことを、加えたものである。
【００１１】
容器体の首筒部に容器体ネジを設けると共に、脚片部に大ネジを設けたものにあっては、外蓋をネジキャップとして容器体に組付ける際に、容器体と中蓋は外蓋により略一体的に結合された状態となる。
【００１２】
また、本発明の別の構成は、上記した主たる構成において、大ネジの直下に子ネジを設け、この大ネジと子ネジの間に、螺合した容器体ネジを挟み込むことを、加えたものである。
【００１３】
大ネジと子ネジの間に、螺合した容器体ネジを挟み込むものにあっては、容器体ネジに対する大ネジと子ネジの挟み込みにより、各ネジ間の摺動抵抗力が高められることになり、この高められた摺動抵抗力が、螺合したネジの「緩み止め」として作用することになる。
【００１４】
また、本発明の別の構成は、上記した主たる構成において、載置部としての脚片部の下端間に、仮想される包絡線に沿って一体に結合する連結リングを設けたことを、加えたものである。
【００１５】
載置部としての脚片部の下端間を連結リングで結合したものにあっては、各脚片の組合わせ物の機械的強度が高められて、安定した形状を維持できることになる。
【００１６】
また、本発明の別の構成は、上記した主たる構成において、中蓋の連結リングの周端部と、この連結リングの周端部に上方から対向する外蓋の筒壁の下端面の何れか一方に、位置合せ欠部を設けると共に、他方にこの位置合せ欠部に係合する位置合せ凸部を設けた、ことを加えたものである。
【００１７】
位置合せ欠部と位置合せ凸部を設けたものにあっては、予め位置出しされて設けられた位置合せ欠部と位置合せ凸部の係合により、中蓋と外蓋の周方向に沿った位置合わせ状態が確実に確保され、これにより中蓋による容器体の密閉を安定して維持できると共に、外蓋の緩み止め作用を強力に発揮する。
【００１８】
また、本発明の別の構成は、上記した主たる構成において、中蓋の本体部上面と、外蓋の頂壁下面との間に、弾性変形部材を設けることを、加えたものである。
【００１９】
弾性変形部材を設けたものにあっては、弾性変形部材の弾力の作用により、容器体と中蓋の組合わせ物に対する外蓋の螺合組付き状態がガタ付きのない一定して安定したものとすることができると共に、外蓋から中蓋に常に押下げ力が作用して、口筒部に対する中蓋の密嵌合状態を安定的に維持させることができる。
【００２０】
また、本発明の別の構成は、上記した主たる構成において、外蓋が外装組付きする容器体の首筒部に容器体ネジを設け、容器体に中蓋が組付けられたことにより、本体部の外装部と容器体ネジのネジ基部の頂壁部との間に、隙間が形成されることを、加えたものである。
【００２１】
外装部と頂壁部との間に隙間が形成されるものにあっては、中蓋を取り外す際に指先の腹が隙間に入り込み指掛部分として利用することが可能となる。また、指掛部分として隙間及び脚片部が利用できるため、中蓋の周囲３６０度どの位置でも中蓋の取り外しが容易に行える。
【００２２】
また、本発明の別の構成は、上記した主たる構成において、脚片部の仮置面が脚片部の下端面より上方に形成されることを、加えたものである。
【００２３】
脚片部の仮置面が脚片部の下端面より上方に形成されるものにあっては、中蓋を載置面に置いても、脚片部の仮置面は載置面と接しないため、付着した内容物によって設置面を汚すのを防止することができる。
【００２４】
また、本発明の別の構成は、上記した主たる構成において、頂壁部と口筒部との間に掛かり代のある立ち上り部分を設けたことを、加えたものである。
【００２５】
頂壁部と口筒部の間に掛かり代を有する立ち上げ部分を設けたものにあっては、中蓋を仮置する際に脚片部を頂壁部に乗せる装着性向上やガタ付きを防止でき、また中蓋を回動させた際にはズレ難くなる。
【発明の効果】
【００２６】
本発明は、上記した構成となっているので、以下に示す効果を奏する。
本発明の主たる構成においては、中蓋に付着した内容物により載置面を汚すことなく、また載置面の汚れを中蓋の本体部に付着させることもないので、中蓋の簡単で安全な取扱いを得ることができる。
【００２７】
載置部を脚片部としたものにあっては、載置部に対する内容物の付着をなくすことができるので、中蓋に付着した内容物による汚れの発生をほとんどなくすことができる。
【００２８】
容器体の首筒部に容器体ネジを設けると共に、脚片部に大ネジを設けたものにあっては、外蓋をネジキャップとして容器体に組付ける際に、容器体と中蓋は外蓋により略一体的に結合された状態となり、容器体と中蓋と外蓋の組付き状態が安定したものとなる。
【００２９】
大ネジと子ネジの間に、螺合した容器体ネジを挟み込むものにあっては、各ネジ間の摺動抵抗力が高められることになり、この高められた摺動抵抗力が、螺合したネジの「緩み止め」として作用することになるので、外蓋の容器体側に対する螺合組付きを、緩みの発生のない安定したものとすることができる。
【００３０】
載置部である脚片部の下端間を連結リングで結合したものにあっては、脚片を設けた中蓋の機械的強度が高められるので、ストレスのない取扱い状況を得ることができる。
【００３１】
位置合せ欠部と位置合せ凸部を設けたものにあっては、弾性変形部材の弾力の作用により、容器体と中蓋の組合わせ物に対する外蓋の螺合組付き状態をガタ付きのない一定して安定したものとすることができると共に、中蓋の口筒部に対する密嵌合状態を安定的に維持させることができ、また予め位置出しされて設けられた位置合せ欠部と位置合せ凸部の係合により、中蓋と外蓋の周方向に沿った位置合わせを安定して達成でき、これにより中蓋による容器体の密閉を安定して維持できると共に、外蓋の緩み止め作用を強力に発揮する。
【００３２】
弾性変形部材を設けたものにあっては、弾性変形部材の弾力の作用により、容器体と中蓋の組合わせ物に対する外蓋の螺合組付き状態がガタ付きのない一定して安定したものとすることができると共に、外蓋から中蓋に常に押下げ力が作用して、口筒部に対する中蓋の密嵌合状態を安定的に維持させることができるので、容器体に対する中蓋の密な組付きを良好にかつ強力に達成維持する。
【００３３】
外装部と頂壁部との間に隙間が形成されるものにあっては、中蓋を取り外す際に指先の腹が隙間に入り込み指掛部分として利用でき、これによって指掛部分として隙間及び脚片部が利用できるため、中蓋の周囲３６０度どの位置でも中蓋の取り外しが容易かつ安定的に行うことができる。
【００３４】
脚片部の仮置面が脚片部の下端面より上方に形成されるものにあっては、中蓋を載置面に置いても、脚片部の仮置面は載置面と接しないため、付着した内容物によって設置面を汚すのを防止しでき、衛生的な取扱いを得ることが達成できる。
【００３５】
頂壁部と口筒部の間に掛かり代を有する立ち上げ部分を設けたものにあっては、中蓋を仮置する際に脚片部を頂壁部に乗せる装着性向上やガタ付きを防止でき、中蓋を回動させた際にはズレ難くなり、中蓋の容易で安全な取扱いを行える。
【図面の簡単な説明】
【００３６】
【図１】本発明の第１の実施例を示すもので、図１（ａ）は外蓋の縦断面図、図１（ｂ）は中蓋の正面図、図１（ｃ）は容器体の正面図、図１（ｄ）は一部を拡大図示した全体縦断面図である。
【図２】第１の実施例における容器体を示すもので、図２（ａ）は平面図、図２（ｂ）は正面図である。
【図３】第１の実施例における中蓋を示すもので、図３（ａ）は平面図、図３（ｂ）は正面図である。
【図４】第１の実施例における外蓋を示すもので、図４（ａ）は縦断正面図、図４（ｂ）は底面図である。
【図５】中蓋の他の実施例を示すもので、図５（ａ）は平面図、図５（ｂ）は正面図である。
【図６】本発明の第２の実施例を示すもので、図６（ａ）は容器体と中蓋の組合わせ物の平面図、図６（ｂ）は容器体と中蓋の組合わせ物の正面図、図６（ｃ）は容器体と中蓋と外蓋の組合わせ物の縦断正面図である。
【図７】第２実施例における中蓋を示すもので、図７（ａ）は平面図、図７（ｂ）は正面図である。
【図８】第２実施例における外蓋を示すもので、図８（ａ）は縦断正面図、図８（ｂ）は底面図である。
【図９】本発明の第３の実施例を示すもので、図９（ａ）は中蓋の平面図、図９（ｂ）は中蓋の正面図（左半分）と縦断面図（右半分）、図９（ｃ）は容器体の正面図である。
【図１０】第３の実施例において、図１０（ａ）は中蓋を容器体に仮置きした時の正面図、図１０（ｂ）は中蓋と容器体が組合わさった時の正面図である。
【図１１】第３の実施例における中蓋と容器体の部分縦断面図であり、図１１（ａ）は仮置き時、図１１（ｂ）は組合わさった時である。
【図１２】第３の実施例において中蓋の脚片部が６本脚の他の実施例を示すもので、図１２（ａ）は中蓋の平面図、図１２（ｂ）は中蓋の正面図（左半分）と縦断面図（右半分）、図１２（ｃ）は容器体の正面図である。
【図１３】本発明の第４の実施例を示すもので、図１３（ａ）は中蓋の平面図、図１３（ｂ）は中蓋の正面図（左半分）と縦断面図（右半分）、図１３（ｃ）は容器体の正面図である。
【図１４】第４の実施例において、中蓋を容器体に仮置きした時の正面図である。
【図１５】第３及び第４の実施例に用いられる容器体を示すもので、図１５（ａ）はネジ欠部が３個の容器体の平面図、図１５（ｂ）はネジ欠部が６個の容器体の平面図である。
【発明を実施するための形態】
【００３７】
以下、本発明の実施の形態について図面を参照しつつ説明する。
なお、以下の実施例の説明では、図１に示すように、容器体１に対して中蓋８が組付いた側を上方とする。
【００３８】
図１〜図４は、本発明の第１の実施例を示すもので、容器は、クリーム等の内容物を収容する有底筒状の容器体１と中蓋８と外蓋１９の組合わせで構成されている。容器体１は、内容物を収容する主体部分である有底筒状の胴体部２と、この胴体部２の上端に、肩部３を介して、胴体部２の内周面を上方に延長させた形態（図１（ｄ）参照）で首筒部４を起立設し、この首筒部４の上端部を、上端開口部を形成する口筒部７としている。首筒部４の外周面には容器体ネジ５（図１（ｃ）参照）が設けられているが、この容器体ネジ５は断続ネジ構造となっていて、縦方向に連続したネジ欠部６を形成している。図示実施例の場合、容器体ネジ５が「３条ネジ」であるので、これに合わせてネジ欠部６は、周方向に沿って等中心角（１２０°）毎（図２（ａ）参照）に形成されている。
【００３９】
中蓋８（図１（ｂ）、（ｄ）と図３参照）は、容器体１の口筒部７に打栓状に組付けられる本体部９と、容器体１のネジ欠部６に係合する載置部としての脚片部１４とから構成されている。本体部９は、口筒部７に密嵌入する有底筒片状の栓部１０と、口筒部７の上端面に載置して、栓部１０の組付き限を設定する外鍔状のフランジ部１１と、このフランジ部１１の外周端縁から垂下設されて、口筒部７に外嵌する短円筒状の外装部１２とから構成されている。この本体部９の外周端縁部、すなわち外装部１２からは、等中心角毎に３つの脚片部１４が一体に垂下設されていて、中蓋８が容器体１に組付けられた状態で、各脚片部１４はそれぞれが別のネジ欠部６に係合する。各脚片部１４の外面には容器体ネジ５と連続する形態で大ネジ１５が設けられていると共に、この大ネジ１５の直下に、大ネジ１５よりも突出高さの低い小ネジ１６が平行して設けられている。載置部としての脚片部１４は、本体部９の下面よりも下方に突出していることは云うまでもない。
【００４０】
外蓋１９（図１、図４参照）は、頂壁２０と筒壁２１を有する有頂円筒形状をしていて、筒壁２１の内周面には、容器体ネジ５および大ネジ１５と螺合する外蓋ネジ２２が形成されている。この外蓋ネジ２２は、連続ネジ構造をしていて、外蓋１９をネジキャップに構成している。
【００４１】
この第１の実施例にあっては、容器体１のネジ欠部６に対して、中蓋８の脚片部１４を位置合せした状態で、中蓋８の本体部９を容器体１の口筒部７に打栓状に押し込み組付けして、容器体１に対する中蓋８の組付けを達成した状態で、中蓋８の装着された首筒部４全体を覆って、外蓋１９を螺合組付けする。この外蓋１９の螺合組付けにより、容器体１と中蓋８の組付き、特にネジ欠部６に対する脚片部１４の組付き状態が安定した状態となる。
【００４２】
この容器体１と中蓋８の組合わせ物に対する外蓋１９の螺合による組付きにより、外蓋ネジ２２に対して容器体ネジ５および大ネジ１５が螺合し、これにより容器体１に対する中蓋８の組付き状態が安定すると共に、大ネジ１５に螺合した外蓋ネジ２２は、図１（ｄ）の丸印内に示した拡大図のように、大ネジ１５と小ネジ１６の間に挟まれた状態となって、大きな摩擦抵抗力を生じることになる。このため、この大きな摩擦抵抗力が、外蓋１９に対して螺合の緩み止め力として作用して、外蓋１９の螺合組付き状態を安定したものとする。
【００４３】
図５は、本発明の第１の実施例に使用される中蓋８の他の実施例を示すもので、この中蓋８の他の実施例は、第１の実施例に使用されていた中蓋８の各脚片部１４の下端間を、包絡線に沿ってリング状に成形された連結リング１７により、一体に連結した構成となっている。この図５に示された中蓋８の他の実施例においては、各脚片部１４の下端部の変位程度が、連結リング１７により大幅に規制されて高い保形力を発揮することになるので、構造的に安定したものとなる。なお、連結リング１７の内径寸法は、容器体ネジ５の外径寸法よりも大きい値に設定されており、この連結リング１７は、脚片部１４の下端に設けられているので、実質的に載置部として機能する部分は連結リング１７となる。
【００４４】
図６〜図８は、本発明の第２の実施例を示すもので、容器は、容器体１と中蓋８と外蓋１９の組合わせで構成されているが、中蓋８と外蓋１９の構造が、第１の実施例と異なっている。この第２の実施例における中蓋８は、図５に示された他の実施例から小ネジ１６を取り去ると共に、外蓋１９の頂壁２０下面に対向する中蓋８の本体部９上面部分に弾性変形部材１３を設けている。この弾性変形部材１３は、斜め上方に立ち上がり状に一体に設けられた複数（（図示実施例の場合、８個）の弾性片から構成されており、この弾性変形部材１３の弾力が、外蓋１９から中蓋８への押下げ力として作用するようにしている。また、中蓋８の連結リング１７の周端縁部には位置合せ欠部１８が、そして外蓋１９の筒壁２１下端面には位置合せ凸部２３が、係合することができるように位置合せした状態で設けられており、各位置合せ欠部１８と位置合せ凸部２３は、三条ネジである外蓋ネジ２２に合わせて、周方向に沿って等中心角（１２０°）で設けられている。それゆえ一組の位置合せ欠部１８と位置合せ凸部２３が係合すれは、他の二組の位置合せ欠部１８と位置合せ凸部２３も係合することになる。
【００４５】
この第２の実施例にあっては、容器体１と中蓋８と外蓋１９を組合わせた状態で、容器体１に螺合組付きした外蓋１９から中蓋８に対して、弾性変形部材１３の弾力が押下げ力として作用して、口筒部７に対する中蓋８の本体部９の密嵌合を安定的に維持させることになるので、中蓋８による容器体１の密閉保持が強固に安定して確保されることになる。また、位置合せ欠部１８と位置合せ凸部２３の係合により、中蓋８と外蓋１９の相対回動変位が不能となるので、脚片部１４のネジ欠部６に対する係合により、中蓋８が容器体１に対して回動変位不能であることと相俟って、容器体１に対する外蓋１９の螺合の緩み発生は確実に阻止されることになる。
【００４６】
また、中蓋８もしくは外蓋１９を、ポリエチレンやポリプロピレン等の比較的弾性のある材料で成形した場合には、図示したように、弾性変形部材１３を、中蓋８もしくは外蓋１９に突片状に一体設した構成とすることができるのであるが、この弾性変形部材１３はこれに限ることはなく、エラストマー等の軟質弾性材を、中蓋８の本体部９の上面と、外蓋１９の頂壁２０の下面との間に配置して弾性変形部材１３として機能させることができる。
【００４７】
図９〜図１２は、本発明の第３の実施例を示すもので、容器体１と中蓋８の構造が、第１の実施例と異なっている。この第３の実施例における中蓋８は、図５に示された第１の他の実施例から大ネジ１５及び小ネジ１６を取り去ると共に、脚片部１４の横幅が狭くなっている。そして、容器体１は、胴体部２の上端に、肩部３を介して、胴体部２の内周面を上方に延長させた形態で首筒部４を起立設し、首筒部４の外周面には容器体ネジ５のためにネジ基部４ａが設けられている（図１１（ａ）及び図１５参照）。ネジ基部４ａの上端部には外鍔状の頂壁部４ｂが設けられ、頂壁部４ｂと口筒部７の上端部の間には、掛かり代Ｈの立ち上げ部分がある。縦方向に連続したネジ欠部６近傍には、脚片部１４をネジ欠部６に導くためにネジ基部４ａからネジ欠部６に向かって緩やかに縮径するネジ欠縁部６ａを連設することができる。
【００４８】
この第３の実施例にあっては、容器体１と中蓋８を組合わせるにあたり、まず初めに中蓋８の脚片部１４の仮置面１４ａを頂壁部４ｂに仮置きする（図１０（ａ）及び図１１（ａ）参照）。脚片部１４は外装部１２からＬ字状に垂下設され、Ｌ字状に屈曲した先端部に連結リング１７を連設しているため、脚片部１４の仮置面１４ａを頂壁部４ｂに乗せても、連結リング１７は容器体ネジ５と接することはない。頂壁部４ｂと口筒部７の上端部との間に、掛かり代Ｈが１ｍｍ以上の立ち上げ部分を設けると中蓋８を仮置する際に脚片部１４の仮置面１４ａを頂壁部４ｂに乗せる装着性が向上し、更には、掛かり代Ｈを３ｍｍ以上とするとガタ付きを抑制できるためより好ましく、また、脚片部１４は３本脚以上のであることが仮置時のバランスの観点から好ましい。
【００４９】
中蓋８の仮置き後に中蓋８を回動させると、脚片部１４の仮置面１４ａ及びネジ欠部６の開口部はコーナー部を円弧状に角取りした案内用形状を有するため、脚片部１４はネジ欠部６にスムーズに係合し、その後、中蓋８を押し込むと、中蓋８の本体部９が容器体１の口筒部７に打栓状に組付けられる。この時、図１０（ｂ）に示される様に、中蓋８の外装部１２と容器体ネジ５のネジ基部４ａの頂壁部４ｂとの間に、隙間Ｓが形成される。この隙間Ｓは、中蓋８を取り外す際において図１１（ｂ）に示される様に指先の腹が、外装部１２の下端部１２ａと頂壁部４ｂとの間の隙間Ｓに入り込み、指掛部分として利用することが可能となる。そのため第３の実施例においては、指掛部分として隙間Ｓと脚片部１４が利用でき、中蓋８の周囲３６０度どの位置でも中蓋８の取り外しが容易に行うことができる。指掛部分が脚片部１４だけでないので、第１及び第２の実施例に比べ脚片部１４の横幅を狭くしても取り外しの操作性には影響は及ぼさない。
【００５０】
この第３の実施例では、脚片部１４の仮置面１４ａは、脚片部１４の下端面１４ｂより上方に形成され、立ち上がり代Ｈ２を有している。つまり本第３の実施例では脚片部１４の仮置面１４ａは立ち上がり代Ｈ２分離間しており載置面と接しないため、中蓋８を仮置きして回動させる際に容器体１の口筒部７付近に付着している内容物が多少脚片部１４の仮置面１４ａに移行した場合であっても、中蓋８を載置面に置いた時に接するのは下端面１４ｂであるため、仮置面１４ａに付着した内容物によって載置面を汚すのを防止することができる。更に、第３の実施例では、脚片部１４の内周面が段部１４ｃを有し拡径する構造であるため、中蓋８を仮置きして回動させる際に、口筒部７付近に付着している内容物を仮置面１４ａに移行させるのを抑制できる。
【００５１】
図１２は、本発明の第３の実施例に使用される中蓋８の他の実施例を示すものであり、この中蓋８の他の実施例では脚片部１４が６本脚として設けられており、それに対応して容器体１のネジ欠部６も６カ所設けられた構成となっている。脚片部１４が３本脚の場合は、脚片部１４を頂壁部４ｂへの仮置き後の組付けに、最低３０度の回動が必要であるが、脚片部１４が６本脚の場合は最低１５度の回動で組付けることができる。
【００５２】
図１３及び図１４は、本発明の第４の実施例を示すもので、中蓋８の構造が、第３の実施例と異なっている。この第４の実施例における中蓋８は、図９に示された第３の実施例の脚片部１４を断面Ｌ字形状から断面Ｊ字形状に変更すると共に、連結リング１７を取り除いた構造となっている。脚片部１４は仮置面１４ａ付近に断面Ｊ字形状で曲線を描く案内用形状を有するため、脚片部１４はネジ欠部６にスムーズに係合することができる。脚片部１４の仮置き時に、下端面１４ｂから立ち上がり代Ｈ２の上方に形成された仮置面１４ａを頂壁部４ｂに仮置きするため、口筒部７付近に付着している内容物が脚片部１４の仮置面１４ａに移行した場合であっても、中蓋８を載置面に置いて付着した内容物によって設置面を汚すのを防止できる。
【００５３】
なお、第３及び第４の実施例において、３本脚の脚片部１４を有する中蓋８は、ネジ欠部６が３カ所又は６カ所設けられた２種類の容器体１に対応可能である（図１５参照）。そして、ネジ欠部６が６カ所設けられた容器体１に、３本脚の脚片部１４を有する中蓋８を組合わせた時は、最低１５度の回動で組付けることができる。
【００５４】
以上、実施例に沿って本発明の構成とその作用効果について説明したが、本発明の実施の形態は上記実施例に特定されるものではない。例えば容器体１と中蓋８と外蓋１９のそれぞれにネジを設けて螺合組付きするとして説明したが、これに代えて、アンダーカット組付きさらにはバヨネット方式の組付きを採用することも可能である。また、脚片部１４は、その数が特定されることはない。また、各ネジは３条ネジとなっているが、これに限定されることはなく、脚片部１４の数とネジの条数を一致させる必要もない。また、第１及び第２の実施例では載置部である脚片部１４に大ネジ１５と小ネジ１６を設けているが、脚片部１４にネジを設けない構成とすることも可能であり、一方、第３及び第４の実施例では脚片部１４にネジを設けていないが、第１及び第２の実施例のようにネジを設けることも可能である。また、脚片部１４に設けた容器体ネジ５を大ネジ構造と小ネジ構造の組合わせとしても良い。
【産業上の利用可能性】
【００５５】
本発明の中蓋付き容器は、中栓である中蓋に脚片部を一体設したので、これを脚として機能させることにより、簡便で衛生的な取扱いを得ることができ、中栓付き容器として広い分野での適用を可能とすることができる。
【符号の説明】
【００５６】
１  ；容器体
２  ；胴体部
３  ；肩部
４  ；首筒部
４ａ；ネジ基部
４ｂ；頂壁部
５  ；容器体ネジ
６  ；ネジ欠部
６ａ；ネジ欠縁部
７  ；口筒部
８  ；中蓋
９  ；本体部
１０；栓部
１１；フランジ部
１２；外装部
１２ａ；下端部
１３；弾性変形部材
１４；脚片部（載置部）
１４ａ；仮置面
１４ｂ；下端面
１４ｃ；段部
１５；大ネジ
１６；小ネジ
１７；連結リング
１８；位置合せ欠部
１９；外蓋
２０；頂壁
２１；筒壁
２２；外蓋ネジ
２３；位置合せ凸部
Ｈ１；掛かり代
Ｈ２；立ち上がり代
Ｓ  ；隙間
【図１】
0006504924.tif 000002
【図２】
0006504924.tif 000003
【図３】
0006504924.tif 000004
【図４】
0006504924.tif 000005
【図５】
0006504924.tif 000006
【図６】
0006504924.tif 000007
【図７】
0006504924.tif 000008
【図８】
0006504924.tif 000009
【図９】
0006504924.tif 000010
【図１０】
0006504924.tif 000011
【図１１】
0006504924.tif 000012
【図１２】
0006504924.tif 000013
【図１３】
0006504924.tif 000014
【図１４】
0006504924.tif 000015
【図１５】
0006504924.tif 000016